(57)【要約】【課題】容器本体内の内容液を最後まで使い切る場合などの操作性向上のため、キャップ部材を容器本体から離脱した状態で塗布具を延伸させることができる塗布具付き容器の提供を目的とする。【解決手段】有底筒状の容器本体２と、容器本体２の口部３に着脱自在に装着されたキャップ部材４と、を備え、キャップ部材４は、容器本体２に装着された装着筒３０と、装着筒３０に支持された操作部４０と、操作部４０に支持された基端部１１、基端部１１から容器本体２の内部に延びる軸部１５および軸部１５の先端に位置する塗布部を有する塗布具１０と、を有し、操作部４０に装着筒３０に対する操作力が加えられることで塗布具１０が装着筒３０に対し軸部１５の軸方向先端側に移動する、塗布具付き容器１。【選択図】図２
2020103748.tif 000002
【特許請求の範囲】
【請求項１】
有底筒状の容器本体と、
前記容器本体の口部に着脱自在に装着されたキャップ部材と、を備え、
前記キャップ部材は、
前記容器本体に装着された装着筒と、
前記装着筒に支持された操作部と、
前記操作部に支持された基端部、前記基端部から前記容器本体の内部に延びる軸部および前記軸部の先端に位置する塗布部を有する塗布具と、を有し、
前記操作部に装着筒に対する操作力が加えられることで前記塗布具が前記装着筒に対し前記軸部の軸方向先端側に移動する、
塗布具付き容器。
【請求項２】
前記操作部は、前記装着筒に対し軸方向の移動が制限されかつ相対回転可能であり、
前記塗布具は、前記装着筒に対し相対回転が制限されかつ軸方向に移動可能であり、
前記操作部は、軸方向先端側を向く操作面を有し、
前記基端部は、前記操作面に接触する対向面を有し、
前記操作面および前記対向面のうち少なくとも一方は、周方向に向かうに従い軸方向に延びる傾斜面である、
請求項１に記載の塗布具付き容器。
【請求項３】
前記操作部の内周面には、螺旋状に延びる螺旋溝が設けられ、
前記基端部は、径方向外側に突出し前記螺旋溝に挿入された凸部を有し、
前記操作面は、前記螺旋溝の側壁面の一部であり、
前記対向面は、前記凸部の表面の一部である、
請求項２に記載の塗布具付き容器。
【請求項４】
前記操作面および前記対向面は、それぞれ、周方向に向かうに従い軸方向に延びる傾斜面である、
請求項２に記載の塗布具付き容器。
【請求項５】
前記装着筒は、軸方向基端側を向く第１係止面および第２係止面を有し、
前記基端部は、
前記第１係止面に係止された係合部と、
軸方向の隙間を介して前記第２係止面と対向する当接面と、を有し、
前記操作部は、装着筒に対する操作力が加えられることで前記係合部と前記第１係止面との係止を解除する解除部を有し、
前記第２係止面は、前記係合部と前記第１係止面との係止が解除された状態で、前記当接面と当接することで前記塗布具の軸方向先端側への移動を制限する、
請求項１に記載の塗布具付き容器。
【発明の詳細な説明】
【技術分野】
【０００１】
本発明は、塗布具付き容器に関するものである。
【背景技術】
【０００２】
一般的にマスカラ等の化粧品を入れる容器として、容器体と、容器体の口部に螺着されるキャップと、キャップの下面から容器体の内部に垂下される塗布具と、を有するものが知られている。このような容器では、キャップを取り外して塗布具を容器内から引き抜くことで内容液の塗布を可能としている（例えば、特許文献１）。
【先行技術文献】
【特許文献】
【０００３】
【特許文献１】特開２００２−３４６４６号公報
【発明の概要】
【発明が解決しようとする課題】
【０００４】
従来の容器では、容器体の内部の内容液が少なくなると塗布具が内容液まで届かず内容液を最後まで使いきることができない場合があった。キャップは、容器体の口部に螺着される。このため、塗布具をできるだけ長くしても、キャップを容器体の口部から離脱させると、塗布具の先端が容器本体の底部から離間する。したがって、従来の塗布具では、内容液を最後まですくい取ることが困難であるなど操作性に課題があった。
【０００５】
本発明は、上述した事情に鑑みてなされたものであって、容器本体内の内容液を最後まで使い切る場合などの操作性向上のため、キャップ部材を容器本体から離脱した状態で塗布具を延伸させることができる塗布具付き容器の提供を目的とする。
【課題を解決するための手段】
【０００６】
本発明の一態様に係る塗布具付き容器は、有底筒状の容器本体と、前記容器本体の口部に着脱自在に装着されたキャップ部材と、を備え、前記キャップ部材は、前記容器本体に装着された装着筒と、前記装着筒に支持された操作部と、前記操作部に支持された基端部、前記基端部から前記容器本体の内部に延びる軸部および前記軸部の先端に位置する塗布部を有する塗布具と、を有し、前記操作部に装着筒に対する操作力が加えられることで前記塗布具が前記装着筒に対し前記軸部の軸方向先端側に移動する。
【０００７】
上述の構成によれば、キャップ部材を容器本体から離脱した状態で、塗布具を延伸させることができる。塗布具を延伸させることで、塗布具の操作性を高めることができる。より具体的には、塗布具を延伸させることで、例えば、塗布具の先端を容器本体の底部に届かせて容器本体内の底部近傍の内容液をすくい取ることができ、容器本体内の内容液を最後まで使い切ることができる。
上述の構成によれば、操作部に操作力を加えた場合に塗布具が軸方向に移動する。すなわち、操作部を操作しない場合に塗布具が軸方向に移動しない。したがって、装着筒を把持して塗布を行うことで、塗布時に塗布具が軸方向に移動することが抑制され、塗布具を安定した状態で使用できる。
【０００８】
上述の塗布具付き容器において、前記操作部は、前記装着筒に対し軸方向の移動が制限されかつ相対回転可能であり、前記塗布具は、前記装着筒に対し相対回転が制限されかつ軸方向に移動可能であり、前記操作部は、軸方向先端側を向く操作面を有し、前記基端部は、前記操作面に接触する対向面を有し、前記操作面および前記対向面のうち少なくとも一方は、周方向に向かうに従い軸方向に延びる傾斜面である構成としてもよい。
【０００９】
上述の構成によれば、操作部は、装着筒に対し相対回転可能であり、塗布具は、装着筒に対し軸方向にスライド移動可能である。このため、使用者が操作部を回転させる操作を加えることで、操作面および対向面のうち少なくとも一方の傾斜面が他方を滑らせて、周方向の動作を軸方向に変換する。これにより、使用者の操作部の操作によって、装着筒に対して塗布具を軸方向一方側に移動させることができる。
【００１０】
上述の塗布具付き容器において、前記操作部の内周面には、螺旋状に延びる螺旋溝が設けられ、前記基端部は、径方向外側に突出し前記螺旋溝に挿入された凸部を有し、前記操作面は、前記螺旋溝の側壁面の一部であり、前記対向面は、前記凸部の表面の一部である構成としてもよい。
【００１１】
上述の構成によれば、操作部の螺旋溝に基端部の凸部が挿入されるため、操作部の回転操作による塗布具の軸方向の移動を安定して行うことができる。また、螺旋溝の側壁面は、軸方向先端側を向く面のみならず軸方向基端側を向く面を有するため、操作部を逆回転させることで、塗布具を軸方向の反対側にも容易に移動させることができる。
【００１２】
上述の塗布具付き容器において、前記操作面および前記対向面は、それぞれ、周方向に向かうに従い軸方向に延びる傾斜面である構成としてもよい。
【００１３】
上述の構成によれば、操作面と対向面とが互いに対向する傾斜面であるため、操作部の操作によって傾斜面同士が互いに滑りあって塗布具が軸方向に移動する。このため、操作部および塗布具の動作が円滑となり、操作部の操作性を高めることができる。
【００１４】
上述の塗布具付き容器において、前記装着筒は、軸方向基端側を向く第１係止面および第２係止面を有し、前記基端部は、前記第１係止面に係止された係合部と、軸方向の隙間を介して前記第２係止面と対向する当接面と、を有し、前記操作部は、装着筒に対する操作力が加えられることで前記係合部と前記第１係止面との係止を解除する解除部を有し、前記第２係止面は、前記係合部と前記第１係止面との係止が解除された状態で、前記当接面と当接することで前記塗布具の軸方向先端側への移動を制限する構成としてもよい。
【００１５】
上述の構成によれば、操作部の操作に伴う解除部による動作によって係合部と第１係止面との係止を解除することで塗布部が軸方向に移動する。したがって、塗布具は、解除部が操作されない場合に、係合部と第１係止面との係止によって軸方向に移動しない。係合部と第１係止面とを係止させることで、塗布時に塗布具が軸方向に移動することがなく、塗布具を安定させて使用することができる。
【発明の効果】
【００１６】
本発明によれば、容器本体内の内容液を最後まで使い切る場合などの操作性向上のため、キャップ部材を容器本体から離脱した状態で塗布具を延伸させることができる塗布具付き容器の提供することができる。
【図面の簡単な説明】
【００１７】
【図１】図１は、第１実施形態の塗布具付き容器の断面図である。
【図２】図２は、図１の塗布具付き容器１の断面拡大図である。
【図３】図３は、図２のIII−III線に沿う塗布具付き容器の断面図である。
【図４】図４は、第１実施形態の塗布具付き容器において容器本体から残量の少なくなった内容液を塗布具ですくい取る様子を示す断面図である。
【図５】図５は、第２実施形態の塗布具付き容器の断面図である。
【図６】図６は、周方向に延びる操作山型部および対向山型部を直線状に展開した展開図である。
【図７】図７は、図８のVII−VII線に沿う第３実施形態の塗布具付き容器の断面図である。
【図８】図８は、図７のVIII−VIII線に沿う第３実施形態の塗布具付き容器の断面図である。
【図９】図９は、図７のIX−IX線に沿う第３実施形態の塗布具付き容器の断面図である。
【図１０】図１０は、図７のIX−IX線に沿う第３実施形態の塗布具付き容器の断面図であり、第１フック部（係合部）と第１係止面との係止が解除された状態を示す図である。
【発明を実施するための形態】
【００１８】
［第１実施形態］
図１は、第１実施形態の塗布具付き容器１の断面図である。
本実施形態の塗布具付き容器１は、内容液が収容される有底筒状の容器本体２と、容器本体２の口部３内に嵌合されたしごき筒部材５と、容器本体２の口部３に着脱自在に装着されたキャップ部材４と、を備えている。また、キャップ部材４は、しごき筒部材５内に挿通された棒状の塗布具１０を有する。
なお、容器本体２に収容される内容液としては、例えば化粧液や薬液、接着液、洗浄液等が挙げられる。化粧液の具体例としては、例えばマスカラやアイライナー、リップグロス等が挙げられる。
【００１９】
塗布具付き容器１では、容器本体２は有底筒状に形成されるとともに、しごき筒部材５は円筒状に形成され、それぞれの中心軸線が共通軸上に配置されている。また、さらにキャップ部材４を容器本体２に装着した状態で、塗布具１０の軸線Ｏは、容器本体２およびしごき筒部材５の軸線と一致する。
【００２０】
以下の説明において、キャップ部材４を容器本体２に装着した状態で、塗布具１０の軸線Ｏに沿う方向を軸方向といい、軸線Ｏを中心とする半径方向を径方向といい、軸線Ｏ周りに周回する方向を周方向という。また、軸方向において、塗布具１０の軸部１５の軸方向先端側を下側、塗布具１０の軸部１５の軸方向基端側を上側という。
なお、本明細書における上下方向は、単に説明のために用いられる方向であって、塗布具付き容器１の使用時および流通時の姿勢を限定するものではない。
【００２１】
容器本体２は、外周面に雄ネジ３ａが形成された円筒状の口部３と、口部３より大径の円筒状の胴部２ａと、口部３と胴部２ａとを連結する肩部２ｂと、胴部２ａの下端開口を閉塞する底部２ｃと、を備え、これらが一体に形成されている。
【００２２】
図２は、図１の口部３の近傍の拡大図である。
図２に示すように、口部３の外周面には、雄ネジ３ａが設けられる。雄ネジ３ａには、キャップ部材４が螺着される。肩部２ｂの内周面は、下方に向かうに従い漸次拡径した被係止部８が設けられる。
【００２３】
しごき筒部材５は、例えばニトリルゴム（ＮＢＲ）や低密度ポリエチレン（ＬＤＰＥ）、直鎖状低密度ポリエチレン（ＬＬＤＰＥ）等の弾性変形可能な軟材質で形成されている。しごき筒部材５は、軸方向に沿って延在する嵌合筒部２６と、嵌合筒部２６の上端部から径方向の外側に突出する環状の鍔部２７と、嵌合筒部２６の内周面から径方向の内側に突出するしごき片２８と、嵌合筒部２６の下端部から径方向の外側に突出する環状の係合部２９と、を有する。
【００２４】
嵌合筒部２６は、口部３に嵌合される。
鍔部２７は、口部３の上端開口縁に、上側から当接する。鍔部２７の上面は、キャップ部材が接触する。すなわち、鍔部２７は、容器本体２とキャップ部材４とに上下方向から挟み込まれる。鍔部２７は、容器本体２の内部にしごき筒部材５が脱落することを抑制する。
【００２５】
しごき片２８は、径方向の内側に向かうに従って下方に延在する、円錐筒状である。しごき片２８は、塗布具１０を容器本体２から抜き出す際に、弾性変形しながら塗布具１０の外周面に接触し、塗布具１０の外周面に付着した過剰な液体をしごき落とす。
【００２６】
係合部２９の上部の外径は、口部３の内径よりも大きくなっている。係合部２９は、肩部２ｂの内周面に形成された被係止部８に対して下方から係合する。
【００２７】
キャップ部材４は、容器本体２の口部３に取り付けられ容器本体２の開口を覆う。キャップ部材４は、容器本体２に着脱可能に装着された装着筒３０と、装着筒３０に支持された操作筒（操作部）４０と、塗布具１０と、を有する。
【００２８】
塗布具１０は、上端に位置する基端部１１と、基端部１１から容器本体２の内部に延びる軸部１５と、軸部１５の先端に位置する塗布部１６と、を有する。キャップ部材４が口部３に装着された状態で、軸部１５の一部および塗布部１６は、容器本体２の内部に収容される。本実施形態において、塗布部１６は、ブラシ状である。塗布部１６は、内容液を保持し塗布を行うことができるものであればよく、例えば、筆状やスポンジ状等であってもよい。
【００２９】
基端部１１は、大径部１２と、大径部１２より下側に位置する小径部１３と、を有する。大径部１２および小径部１３は、軸線Ｏを中心とするそれぞれ円筒状である。大径部１２の外径は、小径部１３の外径より大きい。また、小径部１３の外径は、軸部１５の外径より大きい。
【００３０】
大径部１２は、操作筒４０に支持される。すなわち、基端部１１は、大径部１２において操作筒４０に支持される。大径部１２の外周面には、径方向外側に突出する一対の凸部１２ａが設けられる。一対の凸部１２ａは、軸線Ｏを挟んで互いに反対側に配置される。
【００３１】
小径部１３は、装着筒３０に支持される。すなわち、基端部１１は、小径部１３において装着筒３０に支持される。小径部１３の外周面には、軸方向に沿って並び周方向に沿って延びる一対のスライドガイドリブ１３ａが設けられる。スライドガイドリブ１３ａは、軸線Ｏ周りの全周に亘って連続して延びる。
【００３２】
装着筒３０は、ネジ筒部３１と、ネジ筒部３１の上側に位置するガイド筒部３２と、を有する。ネジ筒部３１およびガイド筒部３２は、共通の軸線Ｏを中心として軸方向に沿って延びる筒状である。ガイド筒部３２の内径および外径は、それぞれネジ筒部３１の内径および外径より小さい。
【００３３】
ネジ筒部３１の外径は、容器本体２の胴部２ａの外径と略一致する。ネジ筒部３１の内周面には、雌ネジ３１ａが設けられる。雌ネジ３１ａは、容器本体２の雄ネジ３ａに螺着する。
【００３４】
ガイド筒部３２の外周面には、周方向に沿って延びる環状リブ３２ａが設けられる。後述するように、環状リブ３２ａは、操作筒４０の環状溝４１ａに挿入される。これにより、操作筒４０の装着筒３０に対する軸方向の移動が制限され、かつ操作筒４０の装着筒３０に対する相対回転がガイドされる。
【００３５】
ガイド筒部３２の内周面３２ｂは、軸方向から見て円形である。ガイド筒部３２の内周面３２ｂは、塗布具１０を保持する。内周面３２ｂは、塗布具１０の軸方向の移動をガイドする。内周面３２ｂには、塗布具１０の小径部１３の外周面に設けられた一対のスライドガイドリブ１３ａの先端が接触する。一対のスライドガイドリブ１３ａは、ガイド筒部３２の内周面と小径部１３の外周面との間の径方向の隙間を塞ぎ、内容液が装着筒３０に浸入することを抑制する。加えて、一対のスライドガイドリブ１３ａは、ガイド筒部３２の内周面３２ｂに対する塗布具１０の傾きを抑制するとともに、ガイド筒部３２の内周面３２ｂに対する塗布具１０のスライド移動を案内する。
【００３６】
ガイド筒部３２の内周面３２ｂの下端部には、径方向内側に突出する一対の回転規制部３２ｃが設けられる。一対の回転規制部３２ｃは、軸線Ｏを挟んで反対側に位置する。
【００３７】
図３は、図２のIII−III線に沿う塗布具付き容器１の断面図である。
図３に示すように、塗布具１０の軸部１５の外周面には、軸方向に沿って延びる係合溝１５ａが設けられる。係合溝１５ａには、ガイド筒部３２の回転規制部３２ｃが挿入される。これにより、塗布具１０の装着筒３０に対する相対回転が制限され、かつ塗布具１０の装着筒３０に対する軸方向のスライド移動がガイドされる。
【００３８】
操作筒４０は、下側に開口する有底筒状である。操作筒４０は、軸線Ｏを中心として軸方向に延びる筒部４１と、筒部４１の上端部に位置する天板部４２と、を有する。
【００３９】
筒部４１の内周面には、環状溝４１ａと、一対の螺旋溝４１ｂと、が設けられる。上述したように、環状溝４１ａには、装着筒３０の環状リブ３２ａが挿入される。このため、操作筒４０は、装着筒３０に対し軸方向の移動が制限されかつ相対回転可能である。
【００４０】
螺旋溝４１ｂは、軸線Ｏ周りを一定の捻じれ角で軸方向に沿って螺旋状に延びる。一対の螺旋溝４１ｂには、塗布具１０の基端部１１に設けられた一対の凸部１２ａがそれぞれ挿入される。
【００４１】
ここでは、螺旋溝４１ｂの側壁面のうち軸方向先端側を向く面を操作面４１ｃと呼び、凸部１２ａの表面のうち操作面４１ｃに接触する領域を対向面１２ｂと呼ぶ。すなわち、本実施形態において、操作筒４０は、軸方向先端側を向く操作面４１ｃを有し、基端部１１は、操作面４１ｃに接触する対向面１２ｂを有する。操作面４１ｃは、周方向に向かうに従い軸方向に延びる傾斜面である。
【００４２】
天板部４２は、軸線Ｏと直交する平面に沿って延び筒部４１の上端部を覆う板状である。天板部４２の下面には、下側に突出する円柱部４２ｂが設けられる。円柱部４２ｂは、塗布具１０の大径部１２の内周面に挿入される。円柱部４２ｂは、大径部１２を径方向内側からガイドし、操作筒４０と塗布具１０との軸線Ｏ周りの相対回転をガイドする。
【００４３】
以下、本実施形態の塗布具付き容器１の作用について説明する。
最初に、塗布具１０を容器本体２から抜き出す方法について説明する。
塗布具１０を容器本体２から抜き出す際に、使用者は、キャップ部材４の装着筒３０を容器本体２に対して回転させ、雄ネジ３ａと雌ネジ３１ａとの螺着を解除する。使用者は、さらに、キャップ部材４を容器本体２に対して上方に引き上げる。これにより、使用者は、塗布具１０を容器本体２から抜き出すことができ、塗布具１０の塗布部１６に保持された内容液を使用できる。
【００４４】
次に、塗布具１０を延伸させる方法について説明する。
まず、使用者は、上述の手順を基に、塗布具１０を容器本体２から抜き出す。次いで、使用者は、装着筒３０に対して操作筒４０を回転させる操作を行う。これにより、操作筒４０の内周面に設けられた螺旋溝４１ｂが軸線Ｏ周りに回転し、螺旋溝４１ｂに挿入された凸部１２ａが軸方向に移動する。結果的に、装着筒３０および操作筒４０に対し塗布具１０が軸方向先端側に移動する。すなわち、使用者は、塗布具１０を先端側に引き出すことができる。
【００４５】
次に、容器本体２内の内容液の残量が少なくなった場合に塗布具１０によって内容液をすくい取る方法について説明する。
図４は、容器本体２から残量の少なくなった内容液をすくい取る様子を示す部分断面図である。使用者は、装着筒３０又は操作筒４０を把持し、先端側に延伸された塗布具１０を容器本体２の内部に挿入する。これにより、キャップ部材４を容器本体２から離脱させた状態で、塗布具１０の先端の塗布部１６を容器本体２の底部２ｃの近傍に到達させることができる。使用者は、塗布具１０の先端を容器本体２の底部２ｃに到達させた状態で塗布具１０を動かすことで、容器本体２内の底部２ｃ近傍の内容液をすくい取ることができ、容器本体内の内容液を最後まで使い切ることができる。
【００４６】
なお、ここでは、残量のわずかな内容液をすくい取るために塗布具１０を延伸させる場合について説明した。しかしながら、内容液の残量の多寡に関わらず、塗布具１０を延伸させて使用してもよい。例えば、内容液がマスカラである場合には、塗布具１０を延伸させることで、利き手で、利き手の反対側のまつ毛にマスカラを塗布する際に、利き手が利き手側のまつ毛に接触することを抑制できる。すなわち、本実施形態の塗布具付き容器１によれば、塗布具１０を延伸させることができるため、容器本体２内の内容液を最後まで使い切る場合に限らず、様々な場面で操作性を向上させることができる。
【００４７】
本実施形態の塗布具付き容器１は、操作筒４０に操作力が加えられることで塗布具１０が装着筒３０に対し軸部１５の軸方向先端側に移動する。すなわち、操作筒４０を操作しない場合に塗布具１０が軸方向に移動しない。したがって、塗布時に塗布具１０が軸方向に移動することが抑制され、塗布具１０を安定した状態で使用できる。
【００４８】
本実施形態によれば、操作筒４０は、装着筒３０に対し軸方向の移動が制限されかつ相対回転可能である。また、塗布具１０は、装着筒３０に対し相対回転が制限されかつ軸方向に移動可能である。このため、使用者が操作筒を回転させる操作を加えることで、操作筒４０の操作面４１ｃと基端部１１の対向面１２ｂとが滑りあい周方向の動作を軸方向に変換して、塗布具１０を軸方向に移動させることができる。
なお、本実施形態では、軸方向に互いに対向する操作面４１ｃおよび対向面１２ｂのうち、操作面４１ｃが周方向に向かうに従い軸方向に延びる傾斜面である場合について説明した。しかしながら、操作面４１ｃおよび対向面１２ｂのうち少なくとも一方が傾斜面であれば、周方向の動作を軸方向の動作に変換させることができる。
【００４９】
本実施形態によれば、操作筒４０の螺旋溝４１ｂに基端部１１の凸部１２ａが挿入されるため、操作筒４０の回転操作による塗布具１０を軸方向の移動を安定して行うことができる。また、螺旋溝４１ｂの側壁面は、軸方向先端側を向く面のみならず軸方向基端側を向く面を有するため、操作筒４０を逆回転させることで、塗布具１０を軸方向の反対側にも容易に移動させることができる。
【００５０】
［第２実施形態］
図５は、第２実施形態の塗布具付き容器１０１の断面図である。
本実施形態の塗布具付き容器１０１は、上述の実施形態と比較して、操作面１４１ｃおよび対向面１１２ｂの構成が主に異なる。
なお、上述の実施形態と同一態様の構成要素については、同一符号を付し、その説明を省略する。
【００５１】
上述の実施形態と同様に、本実施形態の塗布具付き容器１０１は、容器本体２と、しごき筒部材５と、キャップ部材１０４と、を備えている。また、キャップ部材１０４は、容器本体２に着脱可能に装着された装着筒３０と、装着筒３０に支持された操作筒（操作部）１４０と、塗布具１１０と、を有する。上述の実施形態と同様に、操作筒１４０は、装着筒３０に対し軸方向の移動が制限されかつ相対回転可能であり、塗布具１１０は、装着筒３０に対し相対回転が制限されかつ軸方向に移動可能である。
【００５２】
操作筒１４０は、軸線Ｏを中心として軸方向に延びる筒部１４１と、筒部１４１の上端部に位置する天板部４２と、を有する。筒部１４１の内周面には、筒部１４１の板厚方向に突出する操作山型部１４１ｂが設けられる。操作山型部１４１ｂは、軸方向先端側を向く操作面１４１ｃを有する。すなわち、操作筒１４０は、軸方向先端側を向く操作面１４１ｃを有する。操作面１４１ｃは、周方向に沿って延びる。
【００５３】
塗布具１１０は、上端に位置する基端部１１１と、基端部１１１から容器本体２の内部に延びる軸部１５と、軸部１５の先端に位置する塗布部１６（図５において不図示）と、を有する。基端部１１１は、大径部１１２と、大径部１１２より下側に位置する小径部１３と、を有する。大径部１１２および小径部１３は、それぞれ円筒状である。
【００５４】
大径部１１２の外側面には、大径部１１２の板厚方向に突出する対向山型部１１２ａが設けられる。対向山型部１１２ａは、軸方向基端側を向く対向面１１２ｂを有する。すなわち、基端部１１１は、軸方向基端側を向く対向面１１２ｂを有する。対向面１１２ｂは、周方向に沿って延びる。対向面１１２ｂは、軸方向において操作面１４１ｃと対応し接触する。
【００５５】
図６は、周方向に延びる操作山型部１４１ｂおよび対向山型部１１２ａを直線状に展開した展開図である。図６中の左右方向の全長が、軸線Ｏ周りの３６０°に相当する。
【００５６】
操作山型部１４１ｂは、下側に凸の山型形状を有する。一方で、対向山型部１１２ａは、上側に凸の山型形状を有する。操作山型部１４１ｂと対向山型部１１２ａとは、上下反転させた形状を有する。操作山型部１４１ｂの操作面１４１ｃおよび対向山型部１１２ａの対向面１１２ｂは、それぞれ、周方向に向かうに従い軸方向に延びる傾斜面である。
【００５７】
図６に示すように、キャップ部材１０４が容器本体２に装着された状態で、操作山型部１４１ｂの谷部には対向山型部１１２ａの山部が嵌り、対向山型部１１２ａの谷部には操作山型部１４１ｂの山部が嵌る。
【００５８】
使用者によって操作筒１４０に装着筒３０に対する回転操作力が加えられると、操作山型部１４１ｂは、周方向（図６において左右方向）に沿って移動する。塗布具１１０は、装着筒３０に対する相対回転が制限されているため、操作山型部１４１ｂが周方向に移動することで、操作面１４１ｃと対向面１１２ｂが滑りあい対向山型部１１２ａが軸方向に移動する。
【００５９】
本実施形態によれば、操作筒１４０を操作することで塗布具１１０が装着筒３０に対し軸方向先端側に移動する。すなわち、使用者は、塗布具１１０を先端側に引き出すことができ、キャップ部材１０４を容器本体２から離脱させた状態で塗布具１１０の先端を容器本体２の底部２ｃに届かせて、底部２ｃ付近に溜まった内容液を使い切ることができる。
すなわち、本実施形態の塗布具付き容器１０１によれば、塗布具１１０を延伸させることができるため、容器本体２内の内容液を最後まで使い切る場合などの操作性を向上できる。
【００６０】
本実施形態の塗布具付き容器１０１は、操作筒１４０に操作力が加えられることで塗布具１１０が装着筒３０に対し軸部１５の軸方向先端側に移動する。すなわち、操作筒１４０を操作しない場合に塗布具１１０が軸方向に移動しない。したがって、塗布時に塗布具１１０が軸方向に移動することが抑制され、塗布具１１０を安定した状態で使用できる。
【００６１】
本実施形態によれば、操作筒１４０の操作面１４１ｃと基端部１１１の対向面１１２ｂとが滑りあい周方向の動作を軸方向に変換して、塗布具１１０を軸方向に移動させることができる。また、本実施形態によれば、操作面１４１ｃと対向面１１２ｂとが互いに対向する傾斜面であるため、操作筒１４０および塗布具１１０の動作が円滑となり、操作筒１４０の操作性を高めることができる。
【００６２】
［第３実施形態］
図７、図８および図９は、第３実施形態の塗布具付き容器２０１の断面図である。図７は図８のVII−VII線に沿う塗布具付き容器２０１の断面図であり、図８は図７のVIII−VIII線に沿う塗布具付き容器２０１の断面図であり、図９は図７のIX−IX線に沿う塗布具付き容器２０１の断面図である。
【００６３】
本実施形態の塗布具付き容器２０１は、上述の実施形態と比較して、塗布具２１０を軸方向に移動させる構成が主に異なる。
なお、上述の実施形態と同一態様の構成要素については、同一符号を付し、その説明を省略する。
【００６４】
図８に示すように、塗布具付き容器２０１は、容器本体２と、しごき筒部材５と、キャップ部材２０４と、を備えている。また、キャップ部材２０４は、容器本体２に着脱可能に装着された装着筒２３０と、装着筒２３０に支持された操作筒（操作部）２４０と、塗布具２１０と、コイルバネ（付勢部材）２５０と、を有する。
【００６５】
装着筒２３０は、軸方向に沿って一様な外径を有する。装着筒２３０の内周面には、雌ネジ３１ａが設けられる。雌ネジ３１ａは、容器本体２の雄ネジ３ａに螺着する。
【００６６】
また、図７に示すように、装着筒２３０の内周面には、それぞれ径方向内側に突出する一対の第１リブ２３１および一対の第２リブ２３２が設けられる。第１リブ２３１および第２リブ２３２は、それぞれ周方向に沿って円弧状に延びる。一対の第１リブ２３１同士は、軸方向位置が互いに一致しており、軸線Ｏを挟んで互いに反対側に配置される。同様に、一対の第２リブ２３２同士は、軸方向位置が互いに一致しており、軸線Ｏを挟んで互いに反対側に配置される。軸方向から見て、第１リブ２３１と第２リブ２３２とは、周方向に沿って交互に配置される。
【００６７】
図８に示すように、第１リブ２３１は、上側を向く第１係止面２３１ａを有する。第１係止面２３１ａは、軸線Ｏに直交する平面である。図９に示すように、第２リブ２３２は、上側を向く第２係止面２３２ａを有する。第２係止面２３２ａは、軸線Ｏに直交する平面である。すなわち、装着筒２３０は、上側（軸線方向基端側）を向く第１係止面２３１ａおよび第２係止面２３２ａを有する。第２係止面２３２ａは、第１係止面２３１ａより下側（軸方向先端側）に位置する。
【００６８】
操作筒２４０は、塗布具２１０を軸方向先端側に移動させる際に、使用者により操作される。本実施形態において、操作筒２４０は、使用者により装着筒２３０に対し下側に押圧される。
【００６９】
図８に示すように、操作筒２４０は、軸線Ｏと直交する天板部２４２と、天板部２４２から下側に向かって延びる内筒部２４１と、天板部２４２から下側に向かって延び内筒部２４１の径方向外側に位置する外筒部２４３と、を有する。内筒部２４１および外筒部２４３は、軸線Ｏを中心とする筒状である。
【００７０】
内筒部２４１の外周面には、軸方向に沿って延びる一対のリブ２４１ａが設けられる。一対のリブ２４１ａ同士は、軸線Ｏに対し互いに反対側に位置する。リブ２４１ａの下端面は、内筒部２４１の下端面より上側に位置する。リブ２４１ａの下端面は、圧縮されたコイルバネ２５０の上端部が接触する。操作筒２４０には、コイルバネ２５０により上側に付勢される。
【００７１】
外筒部２４３の外周面は、装着筒２３０の内周面と径方向に対向する。外筒部２４３には、径方向に貫通する一対の開口部２４３ａが設けられる。開口部２４３ａは、矩形状である。外筒部２４３において開口部２４３ａの上端辺には、径方向外側に向かうに従い下側に傾斜するテーパ面（解除部）２４３ｂが設けられる。開口部２４３ａの下端辺は、第１リブ２３１の下端面と上下方向に対向し接触する。これにより、コイルバネ２５０により付勢された操作筒２４０が、上側に抜け出すことが抑制される。
【００７２】
塗布具２１０は、上端に位置する基端部２１１と、基端部２１１から容器本体２の内部に延びる軸部１５と、軸部１５の先端に位置する塗布部１６（図５において不図示）と、を有する。
【００７３】
図８および図９に示すように、基端部２１１は、ベース部２１３と、ベース部２１３から上側に向かって延びる一対の第１延在片２１５（図８参照）および一対の第２延在片２１６（図９参照）を有する。ベース部２１３の上端面は、コイルバネ２５０の下端部が接触する。したがって、コイルバネ２５０は、操作筒２４０と塗布具２１０との間に挟み込まれる。これにより、コイルバネ２５０は、操作筒２４０に対し塗布具２１０を下側に付勢する。
【００７４】
図７に示すように、第１延在片２１５および第２延在片２１６は、周方向に沿って交互に配置される。第１延在片２１５は、径方向においての第１リブ２３１と対向する。第２延在片２１６は、径方向においての第２リブ２３２と対向する。
【００７５】
図８に示すように、第１延在片２１５の先端（上端）には、第１フック部（係合部）２１５ａが設けられる。すなわち、基端部２１１は、第１フック部２１５ａを有する。第１フック部２１５ａは、第１延在片２１５に対し径方向外側に突出する。
【００７６】
第１フック部２１５ａの下面２１５ｂは、軸線Ｏに直交する平面である。キャップ部材２０４が、容器本体２に装着された状態で、第１フック部２１５ａの下面２１５ｂは、第１係止面２３１ａに係止される。これにより、装着筒２３０に対する塗布具２１０の軸方向の移動が規制される。
【００７７】
第１フック部２１５ａの上面２１５ｃは、径方向外側に向かうに従い下側に傾斜する。第１フック部２１５ａの上面２１５ｃは、軸方向において操作筒２４０のテーパ面２４３ｂと対向する。操作筒２４０が下側に移動すると、テーパ面２４３ｂが第１フック部２１５ａの上面２１５ｃと接触する。さらに、テーパ面２４３ｂが下側に移動すると、第１延在片２１５の弾性変形を伴い、第１フック部２１５ａが径方向内側に移動し、第１フック部２１５ａと第１係止面２３１ａとの係止が解除される。第１フック部２１５ａと第１係止面２３１ａとの係止が解除されることで、塗布具２１０は、コイルバネ２５０の作用により下側（軸方向先端側）に移動する。
【００７８】
図９に示すように、第２延在片２１６の先端（上端）には、第２フック部２１６ａが設けられる。第２フック部２１６ａは、第２延在片２１６に対し径方向外側に突出する。第２フック部２１６ａは、下側を向く段差面（当接面）２１６ｂを有する。すなわち、基端部２１１は、段差面２１６ｂを有する。
【００７９】
第２フック部２１６ａの段差面２１６ｂは、軸線Ｏに直交する平面である。第２フック部２１６ａの段差面２１６ｂは、軸方向に沿って隙間を介して第２係止面２３２ａと対向する。
【００８０】
図１０は、第１フック部２１５ａと第１係止面２３１ａとの係止が解除されて塗布具２１０が下側（軸方向先端側）に移動した状態を示す断面図である。
塗布具２１０が下側（軸方向先端側）に移動した場合、第２フック部２１６ａの段差面２１６ｂは、第２係止面２３２ａと当接する。すなわち、第２係止面２３２ａは、第１フック部２１５ａと第１係止面２３１ａとの係止が解除された状態で、第２フック部２１６ａの段差面２１６ｂと当接することで塗布具２１０の軸方向先端側への移動を制限する。
【００８１】
本実施形態によれば、操作筒２４０を操作することで塗布具２１０が装着筒２３０に対し軸方向先端側に移動する。すなわち、本実施形態の塗布具付き容器２０１によれば、塗布具１１０を延伸させることができるため、容器本体２内の内容液を最後まで使い切る場合などの操作性を向上できる。
【００８２】
本実施形態によれば、操作筒２４０は、操作力が加えられることで第１フック部２１５ａと第１係止面２３１ａとの係止を解除するテーパ面２４３ｂを有する。すなわち、操作筒２４０を操作しない限り、第１フック部２１５ａと第１係止面２３１ａとの係止が解除されず、塗布具２１０が軸方向に移動しない。したがって、塗布時に塗布具２１０が軸方向に移動することが抑制され、塗布具２１０を安定した状態で使用できる。
【００８３】
本実施形態において、第１フック部２１５ａと第１係止面２３１ａとの係止が解除された状態のキャップ部材２０４を容器本体２に装着すると、塗布具２１０の先端が容器本体２の底部２ｃに接触して、塗布具２１０が上側に移動する。これにより、第１フック部２１５ａが、第１係止面２３１ａに再び係止される。すなわち、本実施形態の塗布具付き容器２０１によれば、使用者は、キャップ部材２０４を容器本体２に装着する際に、塗布具２１０を軸方向基端側に移動させる操作が不要となる。
【００８４】
以上に、本発明の様々な実施形態を説明したが、各実施形態における各構成およびそれらの組み合わせ等は一例であり、本発明の趣旨から逸脱しない範囲内で、構成の付加、省略、置換およびその他の変更が可能である。また、本発明は実施形態によって限定されることはない。
【００８５】
例えば、上述の各実施形態において、操作力が入力される操作部が筒状の操作筒である場合について例示した。しかしながら、操作部の形状は、筒状に限定されない。
また、第２実施形態では、軸方向に互いに対向する操作山型部１４１ｂおよび対向山型部１１２ａを、操作筒１４０および基端部１１１がそれぞれ有する場合について説明した。しかしながら、操作山型部１４１ｂおよび対向山型部１１２ａのうち何れか一方が、径方向外側に突出し他方の軸方向を向く面と接触する凸部であってもよい。この場合、凸部は、断面円形とすることができる。
【符号の説明】
【００８６】
１，１０１，２０１  塗布具付き容器
２  容器本体
３  口部
４，１０４，２０４  キャップ部材
１０，１１０，２１０  塗布具
１１，１１１，２１１  基端部
１２ａ  凸部
１２ｂ，１１２ｂ  対向面
１５  軸部
１６  塗布部
３０，２３０  装着筒
４０，１４０，２４０  操作筒（操作部）
４１ｂ  螺旋溝
４１ｃ，１４１ｃ  操作面
２１５ａ  第１フック部（係合部）
２１６ｂ  段差面（当接面）
２３１ａ  第１係止面
２３２ａ  第２係止面
２４３ｂ  テーパ面（解除部）
【図１】
2020103748.tif 000003
【図２】
2020103748.tif 000004
【図３】
2020103748.tif 000005
【図４】
2020103748.tif 000006
【図５】
2020103748.tif 000007
【図６】
2020103748.tif 000008
【図７】
2020103748.tif 000009
【図８】
2020103748.tif 000010
【図９】
2020103748.tif 000011
【図１０】
2020103748.tif 000012